【事件の表示】
　特許第２８５３０９９号「複合操作スイッチ並びにこの複合操作スイッチを取り付けたテレビゲーム機」の請求項１ないし８に係る特許に対する特許異議の申立てについて、次のとおり決定する。
【結　論】
　訂正を認める。
　特許第２８５３０９９号の請求項１ないし８に係る特許を維持する。
【理　由】
１、手続の経緯
　本件特許第２８５３０９９号に係る出願は、平成７年１０月２０日に特許出願され、平成７年１１月９日付け及び平成１０年６月１０日付けで、いずれも明細書の全文ないし図面の一部について補正がなされた後、平成１０年１１月２０日に特許権の設定登録がされたものである。
　そして、平成１１年８月３日に特許異議申立人・木村　正より特許異議の申立がなされ、平成１２年９月１１日付けで取消理由が通知され、平成１２年１１月２１日付けで訂正請求がなされたものである。
　さらに、この訂正請求がなされた本件特許に対して平成１３年１月２４日付けで取消理由が通知されたところ、平成１３年４月６日付けで上記の平成１２年１１月２１日付け訂正請求は取り下げられ、新たに平成１３年４月６日付けで訂正請求がなされたものである。
　
　
２、訂正の適否
（１）訂正の要旨
イ、訂正事項１
　願書に添付した明細書（以下、「特許明細書」という。）の特許請求に範囲の欄の記載の、
「【請求項５】支持板と、この支持板にその中間部を揺動及び揺動旋回可能に取り付けた操作レバーと、前記支持板に中央部に操作レバーを挿通させて載置させた回路基板と、この回路基板上に前記操作レバーを囲んで配置された複数のマイクロスイッチと、この複数のマイクロスイッチを前記支持板との間に挟んで前記係止部材に係止させた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状と四角形状のもので構成し、互いに交換可能としたことを特徴とする、複合操作スイッチ。」
を、
「【請求項５】支持板と、この支持板にその中間部を揺動及び揺動旋回可能に取り付けた操作レバーと、
接続コネクターを有し
各端子を前記回路基板へ接続させた
と訂正する。
　
ロ、訂正事項２
　特許明細書の特許請求に範囲の欄の記載の、
「【請求項７】支持板と、この支持板にその中間部を揺動及び揺動旋回可能に取り付けられた操作レバーと、前記支持板に中央部に前記操作レバーを挿通させて載置させた回路基板と、この回路基板上に前記操作レバーを囲んで配置され各端子を前記回路基板上へ接続させた複数のマイクロスイッチと、前記操作レバーの自由端側を挿通させるガイド孔を有し前記支持板に前記複数のマイクロスイッチを間に挟んで該支持板に取り付けられたガイド板とから構成すると共に、前記ガイド孔を八角形状としたことを特徴とする、複合操作スイッチ。」
を、
「【請求項７】支持板と、この支持板にその中間部を揺動及び揺動旋回可能に取り付けられた操作レバーと、
接続コネクターを有し
と訂正する。
　
ハ、訂正事項３
　特許明細書の【０００２】欄の、
「図１１と図１２」
を、
「
図１０と図１１
と訂正する。
　
ニ、訂正事項４
　特許明細書の【０００３】欄、【０００８】欄、【０００９】欄、【００１１】、欄【００３１】欄及び【００３６】欄の記載事項を全文削除するとともに、当該欄に係る記載事項の削除に伴い、その余の段落番号を連続番号となるように繰り上げる。
　
ホ、訂正事項５
　特許明細書の【００２１】欄の、
「操作レバーを揺動させた際に、該操作レバー当接部が八角形状のガイド孔の各角部へ嵌入し、８方向の操作を安定的に行うことができる。
　また、操作レバーを揺動させて当接部を一つの角部へ嵌入させた状態から、該操作レバーを揺動旋回させて、当接部を一つの角部より隣接する角部へ辺部上を滑らせて次々と嵌入させることができる。」
を、
「操作レバーを揺動させた際に、該操作レバー当接部が八角形状のガイド孔の各角部へ嵌入し、８方向の操作を安定的に行うことができる。」
と訂正する。
　
ヘ、訂正事項６
　特許明細書の【００２６】欄の、
「接続コネクター１０ｂを有する回路基板１０が、その下面に」
を、
「接続コネクター１０ｂを有する回路基板１０が
取り付けられ
と訂正する。
　
ト、訂正事項７
　特許明細書の【００２７】欄の、
「平面略八角形状の軸方向に傾斜を付けたガイド孔３２が設けられており、」
を、
「平面八角形状の軸方向に傾斜を付けたガイド孔３２が設けられており、」
と訂正する。
　
チ、訂正事項８
　特許明細書の【００２９】欄の、
「尚、ガイド孔が八角形状のものは、図９に示したように、これのみを単独のものとすることができ、その場合にはガイド筒体と固定板は、別々の部材ではなく、八角形状のガイド孔３５を一体に成型して構成したガイド板３６とすることができる。また、ガイド孔は八角形状、四角形状を問わず、各角部は角状にしたもの、或は若干のアールを設けたものの双方が含まれる。」
を、
「尚、ガイド孔が八角形状のものは、これのみを単独のものとすることができ、その場合にはガイド筒体と固定板は、別々の部材ではなく一体に成型して構成したガイド板とすることができる。」
と訂正する。
　
リ、訂正事項９
　特許明細書の【００３２】欄の、
「（通常は図１１と図１２に示したように２段であるが）」
を、
「（通常は
図１０と図１１
と訂正する。
　
ヌ、訂正事項１０
　特許明細書の【００３４】欄の、
「図１０はこの発明に係る複合操作スイッチ」
を、
「図
９
と訂正する。
　
ル、訂正事項１１
　特許明細書の【００３４】欄の、
「複合スイッチ４３のの操作レバー４３ａを操作すると、」
を、
「複合スイッチ４３
の
と訂正する。
　
ヲ、訂正事項１２
　特許明細書の【００３９】欄の、
「簡単その位置を変えることができる」
を、
「簡単
に
と訂正する。
　
ワ、訂正事項１３
　特許明細書の【図面の簡単な説明】の欄の、
「【図６】固定板とガイド筒体を組み合わせの一実施例を示す分解斜視図である。」
を、
「【図６】固定板とガイド筒体
の
　
カ、訂正事項１４
　特許明細書の【図面の簡単な説明】の欄の、
「【図９】ガイド板の他の実施例を示す平面図である。」を全文削除する。
　
ヨ、訂正事項１５
　特許明細書の【図面の簡単な説明】の欄の、
「【図１０】、【図１１】、【図１２】」
を、それぞれ、
「【図
９
１０
１１
と訂正する。
　
タ、訂正事項１６
　特許明細書の【図面の簡単な説明】の欄の【符号の説明】における、
「３５　ガイド孔
　３６　ガイド板」
を削除する。
　
レ、訂正事項１７
　特許明細書に添付した図面のうち、その【図９】を全て削除するとともに、図面の符号「【図１０】、【図１１】、【図１２】」
を、それぞれ、
「【図
９
１０
１１
と訂正する。
　
（２）訂正の目的の適否、新規事項の有無及び拡張・変更の存否
イ、訂正事項１について
　訂正事項１は、特許明細書の【００２６】欄に記載されている事項を請求項５に追加して記載し技術的限定をするものであるから、特許請求の範囲の減縮を目的とし、新規事項の追加に該当せず、実質上特許請求の範囲を拡張し、又は変更するものではない。
　
ロ、訂正事項２について
　訂正事項２は、特許明細書の【００２６】欄に記載されている事項を請求項７に追加して記載し技術的限定をするものであるから、特許請求の範囲の減縮を目的とし、新規事項の追加に該当せず、実質上特許請求の範囲を拡張し、又は変更するものではない。
　
ハ、訂正事項３について
　訂正事項３は、訂正事項１７の図９の削除により必要になった明りょうでない記載の釈明を目的とするものであり、新規事項の追加に該当せず、実質上特許請求の範囲を拡張し、又は変更するものではない。
　
ニ、訂正事項４について
　訂正事項４は、特許明細書の【０００３】欄、【０００８】欄、【０００９】欄、【００１１】欄、【００３１】欄及び【００３６】欄の記載事項は、願書に最初に添付した明細書（以下、「当初明細書」という。）には、直接には記載されておらず、特許明細書には記載されていた事項を削除するものである。
　そして、【０００３】欄の記載は従来技術に関する記載であり、【０００８】欄と【０００９】欄の記載は、従来技術の問題点とその問題点が解決されるべき必要性があった点についての記載であり、【００１１】欄は実質的に【００１２】欄に記載されている事項を反復記載したものであり、【００３１】欄の記載は「・・・できるものである。」と作用を確認的に記載したものであり、【００３６】欄の記載は「・・・可能となるものである。」と作用を確認的に記載したものであるから、これらの記載を削除することは、新規事項の追加に該当せず、実質上特許請求の範囲を拡張し、又は変更するものではない。
　また、これらの段落番号に係る欄を削除することは、特許法第１７条の２第３項の規定に違反している可能性のある記載を削除し、新規事項の追加がない点を明らかにするものであるから、明りょうでない記載の釈明を目的とするものと認められる。
　
ホ、訂正事項５について
　訂正事項５は、特許明細書の【００２１】欄の、
「また、操作レバーを揺動させて当接部を一つの角部へ嵌入させた状態から、該操作レバーを揺動旋回させて、当接部を一つの角部より隣接する角部へ辺部上を滑らせて次々と嵌入させることができる。」
との記載を削除するもので、この記載は当初明細書には直接の記載はなかった作用についての記載である。
　したがって、この訂正事項５は、特許法第１７条の２第３項の規定に違反している可能性のある記載を削除し、新規事項の追加がない点を明らかにするものであるから、明りょうでない記載の釈明を目的とするものと認められる。
　また、この訂正事項５は、新規事項の追加に該当せず、実質上特許請求の範囲を拡張し、又は変更するものではない。
　
ヘ、訂正事項６について
　訂正事項６は、支持板１１の下側には、操作レバー２１を通すための挿通孔１０ａと接続コネクター１０ｂを有する回路基板１０が「取り付けられ」ているものであるところ、その点を明りょうにするものである。
　したがって、この訂正事項６は、明りょうでない記載の釈明を目的とするものであって、新規事項の追加に該当せず、実質上特許請求の範囲を拡張し、又は変更するものではない。
　
ト、訂正事項７について
　訂正事項７は、「平面略八角形状」との記載の「略」を削除するものであり、特許明細書の他の記載においては「八角形状」という記載のみがある点からみて、「略」の記載は誤記と認められる。
　したがって、この訂正事項７は、誤記の訂正を目的とするものであって、新規事項の追加に該当せず、実質上特許請求の範囲を拡張し、又は変更するものではない。
　
チ、訂正事項８について
　訂正事項８の、「図９に示したように、」を削除する訂正は、訂正事項１７の図９の削除により必要になった明りょうでない記載の釈明を目的とするものであり、新規事項の追加に該当せず、実質上特許請求の範囲を拡張し、又は変更するものではない。
　また、「また、ガイド孔は八角形状、四角形状を問わず、各角部は角状にしたもの、或は若干のアールを設けたものの双方が含まれる。」を削除する訂正は、「若干のアール」とはその程度が不明であったものを削除により記載自体をなくして【００２９】欄の記載を明りょうにするものであり、明りょうでない記載の釈明を目的とするものであって、新規事項の追加に該当せず、実質上特許請求の範囲を拡張し、又は変更するものではない。
　
リ、訂正事項９について
　訂正事項９は、訂正事項１７の図９の削除により必要になった明りょうでない記載の釈明を目的とするものであり、新規事項の追加に該当せず、実質上特許請求の範囲を拡張し、又は変更するものではない。
　
ヌ、訂正事項１０について
　訂正事項１０は、訂正事項１７の図９の削除により必要になった明りょうでない記載の釈明を目的とするものであり、新規事項の追加に該当せず、実質上特許請求の範囲を拡張し、又は変更するものではない。
　
ル、訂正事項１１について
　訂正事項１１は、明らかに、誤記の訂正を目的とするものであって、新規事項の追加に該当せず、実質上特許請求の範囲を拡張し、又は変更するものではない。
　
ヲ、訂正事項１２について
　訂正事項１２は、明らかに、誤記の訂正を目的とするものであって、新規事項の追加に該当せず、実質上特許請求の範囲を拡張し、又は変更するものではない。
　
ワ、訂正事項１３について
　訂正事項１３は、明らかに、誤記の訂正を目的とするものであって、新規事項の追加に該当せず、実質上特許請求の範囲を拡張し、又は変更するものではない。
　
カ、訂正事項１４について
　訂正事項１４は、訂正事項１７の図９の削除により必要になった明りょうでない記載の釈明を目的とするものであり、新規事項の追加に該当せず、実質上特許請求の範囲を拡張し、又は変更するものではない。
　
ヨ、訂正事項１５について
　訂正事項１５は、訂正事項１７の図９の削除により必要になった明りょうでない記載の釈明を目的とするものであり、新規事項の追加に該当せず、実質上特許請求の範囲を拡張し、又は変更するものではない。
　
タ、訂正事項１６について
　訂正事項１６は、訂正事項１７の図９の削除により必要になった明りょうでない記載の釈明を目的とするものであり、新規事項の追加に該当せず、実質上特許請求の範囲を拡張し、又は変更するものではない。
　
レ、訂正事項１７について
　訂正事項１７の【図９】を全て削除した点は、当初明細書には、直接には記載されておらず、特許明細書には記載されていた事項を削除するものである。
　そして、【図９】の記載は、本件発明の一実施例に係る説明のための図面と認められるから、これを削除することは、新規事項の追加に該当せず、実質上特許請求の範囲を拡張し、又は変更するものではない。
　また、【図９】を削除することは、特許法第１７条の２第３項の規定に違反している可能性のある記載を削除し、新規事項の追加がない点を明らかにするものであるから、明りょうでない記載の釈明を目的とするものと認められる。
　また、図面の符号を変更する訂正は、図９の削除により必要になった明りょうでない記載の釈明を目的とするものであり、新規事項の追加に該当せず、実質上特許請求の範囲を拡張し、又は変更するものではない。
　
（３）独立特許要件
（ａ）取消理由通知の概要
　平成１３年１月２４日付けの取消理由の概要は以下のＩ、IIのとおりである。
　
Ｉ、新規事項
　平成７年１１月９日付け及び平成１０年６月１０日付けでした手続補正は、下記の点については、願書に最初に添付した明細書又は図面に記載した事項の範囲内においてしたものとは認められないので、新規事項の追加に該当し、特許法第１７条の２第３項に規定する要件を満たしていないものである。
                   　　　　　記
イ）発明の詳細な説明の従来技術の項（段落【０００３】）に、先行技術文献を追加し、先行技術文献の内容を補正により追加した点。
ロ）同発明が解決しようとする課題の項（段落【０００８】、【０００９】）に、「操作レバーを倒したままで一つのくぼみからこれと隣接するくぼみへ操作レバーの当接部を素早く揺動旋回させて移動させる場合」の問題点を補正により追加した点。
ハ）同発明が解決しようとする課題の項（段落【００１１】）に、発明の目的として「多方向へ揺動或いは揺動旋回させる操作レバーの操作をより素早くよりスムーズにかつ安定的に行うことのできる複合スイッチを提供せんとする。」を補正により追加した点。
ニ）同作用の項（段落【００２１】）、実施例の項（【００３１】）に、操作レバーを揺動旋回させることにより、一つの角部より隣接する角部へ滑らせて嵌入させるという作用を補正により追加した点。
ホ）同発明の効果（段落【００３６】）に、操作レバーを揺動旋回させることにより、一つの角部より隣接する角部へ滑らせて嵌入させることによる効果を補正により追加した点。
ヘ）図９を補正により追加した点。
　
II、進歩性
　本件の請求項１ないし８に係る発明は、いずれも、引用例（実願昭６１−１１５７８４号（実開昭６３−２２０４３号）のマイクロフィルム。異議申立人の提示した甲第３号証に同じ。）に記載された発明に基づいて当業者が容易に発明をすることができたものである。
　
（ｂ）判断
Ｉ、新規事項について
　本件特許明細書については、平成１３年４月６日付けで訂正請求がなされ、その訂正は、上記「（２）訂正の目的の適否、新規事項の有無及び拡張・変更の存否」において検討したように、特許法第１２０条の４第２項及び第３項で準用する特許法第１２６条第２、３項の規定に適合するものである。
　その結果、本件特許明細書は、上記訂正請求書に添付した平成１３年４月６日付け訂正明細書のとおりに訂正がされたものである。
　したがって、上記Ｉに係る新規事項の追加に該当する記載箇所のうち、訂正前の特許明細書の【０００３】欄、【０００８】欄、【０００９】欄、【００３１】欄、【００３６】欄、【図９】が削除され、【００２１】欄については新規事項とされた記載部分が削除されて当初明細書の【００１７】欄と同じ記載となったことから、対象とする記載自体がなくなったものである。
　
　よって、平成７年１１月９日付け及び平成１０年６月１０日付けでした手続補正は、願書に最初に添付した明細書又は図面に記載した事項の範囲内においてしたものとは認められず、新規事項の追加に該当し、特許法第１７条の２第３項に規定する要件を満たしていないとすることはできない。
　
II、進歩性について
イ）訂正発明
　本件特許明細書については、平成１３年４月６日付けで訂正請求がなされ、その訂正は、上記「（２）訂正の目的の適否、新規事項の有無及び拡張・変更の存否」において検討したように、特許法第１２０条の４第２項及び第３項で準用する特許法第１２６条第２、３項の規定に適合するものである。
　その結果、本件特許明細書は、上記訂正請求書に添付した平成１３年４月６日付け訂正明細書のとおりに訂正がされたものであって、その請求項１ないし８に係る発明（以下、それぞれ、「訂正発明１ないし８」という。）は、訂正明細書の特許請求の範囲に記載された次のとおりのものである。
　
【請求項１】　多方向へ揺動及び揺動旋回させられる操作レバーを挿通させて該操作レバーの回りに配置させた複数のマイクロスイッチの方向へスイッチ押圧部をガイドするために、固定板或はガイド板に設けられるガイド孔を、八角形状としたことを特徴とする、複合操作スイッチ。
【請求項２】　多方向へ揺動及び揺動旋回させられる操作レバーを挿通させて該操作レバーの回りに配置させた複数のマイクロスイッチの方向へスイッチ押圧部をガイドするために、固定板或はガイド板に設けられるガイド孔を、八角形状とすると共に、この八角形状のガイド孔に軸方向へ傾斜をつけたことを特徴とする、複合操作スイッチ。
【請求項３】　ガイド孔の部分をガイド筒体として独立させ、このガイド筒体を固定板或はガイド板に対して着脱自在となるように取り付けたことを特徴とする、請求項１又は２のいずれかに記載の、複合操作スイッチ。
【請求項４】　支持板と、この支持板にその中間部を揺動及び揺動旋回可能に取り付けた操作レバーと、この操作レバーを囲んで一段又は二段に渡って前記支持板に固定された複数のマイクロスイッチと、この複数のマイクロスイッチを前記支持板との間に挟んで該支持板に取り付けられた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状のものと四角形状のもので構成し、互いに交換可能としたことを特徴とする、複合操作スイッチ。
【請求項５】　支持板と、この支持板にその中間部を揺動及び揺動旋回可能に取り付けた操作レバーと、接続コネクターを有し前記支持板に中央部に操作レバーを挿通させて載置させた回路基板と、この回路基板上に前記操作レバーを囲んで配置された各端子を前記回路基板へ接続させた複数のマイクロスイッチと、この複数のマイクロスイッチを前記支持板との間に挟んで前記係止部材に係止させた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状と四角形状のもので構成し、互いに交換可能としたことを特徴とする、複合操作スイッチ。
【請求項６】　支持板と、この支持板に揺動可能及び揺動旋回可能に支持された操作レバーと、前記支持板に前記操作レバーを囲んで配置された複数のマイクロスイッチと、前記操作レバーの自由端側を挿通させるガイド孔を一体に設け前記支持板に前記複数のマイクロスイッチを間に挟んで該支持板に取り付けられたガイド板とから構成すると共に、前記ガイド孔を八角形状としたことを特徴とする、複合操作スイッチ。
【請求項７】　支持板と、この支持板にその中間部を揺動及び揺動旋回可能に取り付けられた操作レバーと、接続コネクターを有し前記支持板に中央部に前記操作レバーを挿通させて載置させた回路基板と、この回路基板上に前記操作レバーを囲んで配置され各端子を前記回路基板上へ接続させた複数のマイクロスイッチと、前記操作レバーの自由端側を挿通させるガイド孔を有し前記支持板に前記複数のマイクロスイッチを間に挟んで該支持板に取り付けられたガイド板とから構成すると共に、前記ガイド孔を八角形状としたことを特徴とする、複合操作スイッチ。
【請求項８】　請求項１乃至７記載の複合操作スイッチを取り付けたことを特徴とする、テレビゲーム機。
　
ロ）引用例記載の発明
　引用例には、その実用新案登録請求の範囲の欄に、
「（１）棒状の操作レバーの中間部を自在軸受する軸受部材と、
　この軸受部材との間に間隙を形成するようにスペーサを介して軸受部材の後面部に固着され、中央部には前記操作レバーの先端部を受け入れそれの揺動を可能とする挿通孔を有する支持部材と、
　この支持部材と前記軸受部材との間隙内に固定され、揺動時に前記操作レバーにより夫々ヒンジレバーを選択的に押圧されるように配置された複数のスイッチとを具備した多接点レバースイッチ装置において、
　前記支持部材の後部に合成樹脂製の第１ガイド板を接合固定し、この第１ガイド板には前記操作レバーの揺動を８方向に案内する８方向案内孔を形成すると共に、後面に複数の位置決め嵌合部を形成し、
　かつ上記第１ガイド板の後部に合成樹脂製の第２ガイド板を接合固定し、この第２ガイド板には前記操作レバーの揺動を４方向に案内する４方向案内孔、２方向に案内する２方向案内孔及び前記８方向案内孔に一致する８方向案内孔の少なくとも３種の案内孔を形成すると共に、前記第１ガイド板の位置決め嵌合部に嵌合して前記３種の案内孔を夫々前記第１ガイド板の８方向案内孔の内側に位置させる位置決め用の対応嵌合部を各案内孔毎に形成したことを特徴とする多接点レバースイッチ装置。」
と記載され、またその第４図には第１ガイド板１４に略４角形の８方向案内孔１４ａが図示され、第６図には第２ガイド板１６に４方向に突出部を持つ４方向案内孔１６ｃが図示されている。
　また、その第１０図（Ａ）（Ｂ）（Ｃ）には、従来技術としてではあるが夫々、ガイド板２５に操作レバーの揺動を２方向に案内する２方向案内孔２５ａ、４方向に案内する４方向案内孔２５ａ及び前記８方向に案内する８方向案内孔２５ａの３種の案内孔が図示されている。
　
ハ）対比・判断
ｉ、訂正発明１について
　そこで、訂正発明１と引用例記載の発明とを対比してみると、引用例の「操作レバー」は訂正発明１の「操作レバー」に相当し、以下同様に、「揺動時に前記操作レバーにより夫々ヒンジレバーを選択的に押圧されるように配置された複数のスイッチ」は「操作レバーの回りに配置させた複数のマイクロスイッチ」に、「第１ガイド板の８方向案内孔の内側に位置させる位置決め用の対応嵌合部を各案内孔毎に形成した多接点レバースイッチ装置」は「支持板に取り付けられたガイド板とから構成する複合操作スイッチ」に相当することは当業者において明らかであり、かつ、引用例の「８方向案内孔」とは、「第４図の略４角形の８方向案内孔１４ａ或いは第１０図（Ｃ）の８方向に案内する溝部を有する８方向案内孔２５ａ」である。
　
　したがって、両者は、
「多方向へ揺動及び揺動旋回させられる操作レバーを挿通させて該操作レバーの回りに配置させた複数のマイクロスイッチの方向へスイッチ押圧部をガイドするために、固定板或はガイド板に設けられるガイド孔を設けた複合操作スイッチ。」である点で一致し、訂正発明１においては、「ガイド孔が、八角形状」であるのに対し、引用例記載のものは、「第４図の略４角形の８方向案内孔１４ａ或いは第１０図（Ｃ）の８方向に案内する溝部を有する８方向案内孔２５ａ」であるである点で相違する。（以下、「相違点Ａ」という。）
　
　そこでこの相違点Ａについて検討すると、引用例記載の略４角形の８方向案内孔１４ａ或いは８方向に案内する溝部を有する８方向案内孔２５ａは、略４角形の８方向案内孔１４ａにおいては図における左右上下の４位置では平坦であるため正確な位置が案内されず、８方向に案内する溝部を有する８方向案内孔２５ａにおいては隣接位置に操作レバーを移動しようとするときに当該溝部から中央部に戻したのちに隣接位置に移動する必要があり動作に時間がかかる。
　これに対し、訂正発明１に係る案内孔は八角形であるため、特に隣接位置に操作レバーを移動しようとするときに、障害となる突起部分がなく、しかも各位置で安定的にスイッチ操作ができるという効果を奏するものと認められる。
　
　したがって、訂正発明１は「ガイド孔が、八角形状」であるという引用例には記載のない上記相違点Ａに係る構成を有し、それにより上記効果を奏しうるものであるから、引用例記載の発明から容易に想到できたものとすることはできない。
　
ii、訂正発明２について
　訂正発明２と引用例記載の発明とを対比してみると、訂正発明においては上記相違点Ａのほか、さらに「八角形状のガイド孔に軸方向へ傾斜をつけたこと」で相違している。
　引用例の第１図からみて、引用例にも「ガイド孔に軸方向へ傾斜をつけたこと」について記載はあるものの、訂正発明２にも上記相違点Ａに係る構成（「ガイド孔が、八角形状」）が存在する以上は、上記「ｉ、訂正発明１について」で述べた理由と同じ理由により、訂正発明２は、引用例記載の発明から容易に想到できたものとすることはできない。
　
iii、訂正発明３について
　訂正発明３は、訂正発明２又は３を引用している発明である。
　したがって、訂正発明３にも上記相違点Ａに係る構成が存在する以上は、上記「ｉ、訂正発明１について」で述べた理由と同じ理由により、訂正発明３も、引用例記載の発明から容易に想到できたものとすることはできない。
　
iv、訂正発明４について
　訂正発明４は、「ガイド筒体をガイド孔の形状が八角形状のものと四角形状のもので構成し、互いに交換可能としたこと」を構成要件としているところ、引用例においてもガイド方向を、「４方向に案内する４方向案内孔及び前記８方向に案内する８方向案内孔」を有しているものが記載されてはいるが、ガイド孔の形状が八角形状のものについては記載がないものである。
　すなわち、訂正発明４にも上記相違点Ａに係る構成は依然として存在するものであるから、上記「ｉ、訂正発明１について」で述べた理由と同じ理由により、訂正発明４は、引用例記載の発明から容易に想到できたものとすることはできない。
　
ｖ、訂正発明５について
　訂正発明５は、「ガイド筒体をガイド孔の形状が八角形状のものと四角形状のもので構成し、互いに交換可能としたこと」を構成要件としているところであるが、引用例においてもガイド方向を、「４方向に案内する４方向案内孔及び前記８方向に案内する８方向案内孔」が記載されているものではあるが、ガイド孔の形状が八角形状のものについては記載がないものである。
　すなわち、訂正発明５にも上記相違点Ａに係る構成は依然として存在するものであるから、上記「ｉ、訂正発明１について」で述べた理由と同じ理由により、訂正発明５は、引用例記載の発明から容易に想到できたものとすることはできない。
　
vi、訂正発明６について
　訂正発明６は、「ガイド孔の形状を八角形状としたこと」を構成要件としているところであるが、引用例にはガイド孔の形状が八角形状のものについては記載がないものである。
　すなわち、訂正発明６にも上記相違点Ａに係る構成は依然として存在するものであるから、上記「ｉ、訂正発明１について」で述べた理由と同じ理由により、訂正発明６は、引用例記載の発明から容易に想到できたものとすることはできない。
　
vii、訂正発明７について
　訂正発明７は、「ガイド孔の形状を八角形状としたこと」を構成要件としているところであるが、引用例にはガイド孔の形状が八角形状のものについては記載がないものである。
　すなわち、訂正発明７にも上記相違点Ａに係る構成は依然として存在するものであるから、上記「ｉ、訂正発明１について」で述べた理由と同じ理由により、訂正発明７は、引用例記載の発明から容易に想到できたものとすることはできない。
　
viii、訂正発明８について
　訂正発明８は、訂正発明１ないし７を引用している発明である。
　したがって、上記訂正発明１ないし７には上記相違点Ａに係る構成が存在する以上は、上記「ｉ、訂正発明１について」で述べた理由と同じ理由により、訂正発明８も、引用例記載の発明から容易に想到できたものとすることはできない。
　
（ｃ）独立特許要件についてのむすび
　したがって、訂正発明１ないし８は、特許出願の際独立して特許を受けることができない発明とすることはできない。
　
（４）訂正の適否についてのむすび
　以上のとおりであるから、平成１３年４月６日付けでした訂正は、特許法第１２０条の４第２項及び同第３項で準用する特許法第１２６条第２ないし４項の規定に適合するので、当該訂正を認める。
　
　
３、特許異議申立についての判断
（１）特許異議申立の概要
　特許異議申立人は、甲第１号証として本件特許出願に係る公開公報（特開平９−１１５３９３号公報）、甲第２号証として本件特許出願に係る平成１０年６月１０日付け手続補正書、甲第３号証として実願昭６１−１１５７８４号（実開昭６３−２２０４３号）のマイクロフィルムを提示し、本件の請求項１ないし８に係る発明についての特許は、いずれも取り消されるべきものであるとして、上記取消理由で通知した取消理由と同じ理由の他に、概略以下のＩ、IIのとおりの主張をしている。
　
Ｉ、新規事項
　平成７年１１月９日付け及び平成１０年６月１０日付けでした手続補正において、請求項１及び２に、「固定板にガイド孔を形成する旨」、「ガイド板にガイド孔を形成する旨」を追加して記載した点は、願書に最初に添付した明細書又は図面に記載した事項の範囲内においてしたものとは認められず、新規事項の追加に該当し、特許法第１７条の２第３項に規定する要件を満たしていない。
　
II、記載不備
　特許明細書の請求項１、２の記載された発明に対して、発明の詳細な説明の欄には、これらの請求項に記載された上位概念の発明が、当業者が容易にその実施をすることができる程度に発明の目的、構成、効果が記載されていないから、特許法第３６条第４項の規定に違反している。
　
（２）判断
　上記取消理由で通知した取消理由と同じ理由については、上記「２、訂正の適否」において述べた理由と同じ理由により、理由があるものとすることはできない。
　そこで、その他の上記Ｉ、IIに係る異議申立人の主張について検討する。
　
Ｉ、新規事項について
　当初明細書の請求項１、２には固定板にガイド孔が、同請求項４、５にはガイド板にガイド孔が設けられる旨記載されている。
　したがって、当初明細書には、「固定板にガイド孔を形成する旨」、「ガイド板にガイド孔を形成する旨」が記載されているものと認められる。
　したがって、平成７年１１月９日付け及び平成１０年６月１０日付けでした手続補正は、「固定板にガイド孔を形成する旨」、「ガイド板にガイド孔を形成する旨」を新たに追加して記載したものではなく、新規事項の追加に該当するとは認めることができない。
　
II、記載不備について
　異議申立人の上記IIに係る主張は、実質的には具体的な記載不備の箇所は示されておらず、不明瞭であるが、結局、発明の詳細な説明の欄には、請求項記載に係る発明が、当業者が容易にその実施をすることができる程度に記載されていないというにあるものと認められる。
　しかしながら、特許明細書の記載は、上記訂正の前後ともに、当業者が容易にその実施をすることができる程度に発明の目的、構成、効果が記載されていない事実は見出すことができず、発明は明確かつ十分に記載されているものと認められる。
　なお、そもそも発明の詳細な説明には、発明の目的、構成、効果が記載されていなければならないということはないものである。（平成６年法律第１１６号に基づく特許法第３６条第４項参照）
　よって、特許明細書の記載は、特許法第３６条第４項に規定する要件を満たしていないから、本件出願に係る特許は取り消されるべき旨の異議申立人の主張は認められない。
　
　
４、むすび
　以上のとおりであるから、特許異議申立の理由及び証拠によっては本件の請求項１ないし８に係る特許を取り消すことはできない。
　また、他に本件の請求項１ないし８に係る特許を取り消すべき理由を発見しない。
　よって、結論のとおり決定する。
【異議決定日】
平成１３年５月３１日（２００１．５．３１）
【訂正の要旨】
（１）訂正の要旨
イ、訂正事項１
　願書に添付した明細書（以下、「特許明細書」という。）の特許請求に範囲の欄の記載の、
「【請求項５】支持板と、この支持板にその中間部を揺動及び揺動旋回可能に取り付けた操作レバーと、前記支持板に中央部に操作レバーを挿通させて載置させた回路基板と、この回路基板上に前記操作レバーを囲んで配置された複数のマイクロスイッチと、この複数のマイクロスイッチを前記支持板との間に挟んで前記係止部材に係止させた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状と四角形状のもので構成し、互いに交換可能としたことを特徴とする、複合操作スイッチ。」
を、
「【請求項５】支持板と、この支持板にその中間部を揺動及び揺動旋回可能に取り付けた操作レバーと、
接続コネクターを有し
各端子を前記回路基板へ接続させた
と訂正する。
ロ、訂正事項２
　特許明細書の特許請求に範囲の欄の記載の、
「【請求項７】支持板と、この支持板にその中間部を揺動及び揺動旋回可能に取り付けられた操作レバーと、前記支持板に中央部に前記操作レバーを挿通させて載置させた回路基板と、この回路基板上に前記操作レバーを囲んで配置され各端子を前記回路基板上へ接続させた複数のマイクロスイッチと、前記操作レバーの自由端側を挿通させるガイド孔を有し前記支持板に前記複数のマイクロスイッチを間に挟んで該支持板に取り付けられたガイド板とから構成すると共に、前記ガイド孔を八角形状としたことを特徴とする、複合操作スイッチ。」
を、
「【請求項７】支持板と、この支持板にその中間部を揺動及び揺動旋回可能に取り付けられた操作レバーと、
接続コネクターを有し
と訂正する。
ハ、訂正事項３
　特許明細書の【０００２】欄の、
「図１１と図１２」
を、
「
図１０と図１１
と訂正する。
ニ、訂正事項４
　特許明細書の【０００３】欄、【０００８】欄、【０００９】欄、【００１１】、欄【００３１】欄及び【００３６】欄の記載事項を全文削除するとともに、当該欄に係る記載事項の削除に伴い、その余の段落番号を連続番号となるように繰り上げる。
ホ、訂正事項５
　特許明細書の【００２１】欄の、
「操作レバーを揺動させた際に、該操作レバー当接部が八角形状のガイド孔の各角部へ嵌入し、８方向の操作を安定的に行うことができる。
　また、操作レバーを揺動させて当接部を一つの角部へ嵌入させた状態から、該操作レバーを揺動旋回させて、当接部を一つの角部より隣接する角部へ辺部上を滑らせて次々と嵌入させることができる。」
を、
「操作レバーを揺動させた際に、該操作レバー当接部が八角形状のガイド孔の各角部へ嵌入し、８方向の操作を安定的に行うことができる。」
と訂正する。
へ、訂正事項６
　特許明細書の【００２６】欄の、
「接続コネクター１０ｂを有する回路基板１０が、その下面に」
を、
「接続コネクター１０ｂを有する回路基板１０が
取り付けられ
と訂正する。
ト、訂正事項７
　特許明細書の【００２７】欄の、
「平面略八角形状の軸方向に傾斜を付けたガイド孔３２が設けられており、」
を、
「平面八角形状の軸方向に傾斜を付けたガイド孔３２が設けられており、」
と訂正する。
チ、訂正事項８
　特許明細書の【００２９】欄の、
「尚、ガイド孔が八角形状のものは、図９に示したように、これのみを単独のものとすることができ、その場合にはガイド筒体と固定板は、別々の部材ではなく、八角形状のガイド孔３５を一体に成型して構成したガイド板３６とすることができる。また、ガイド孔は八角形状、四角形状を問わず、各角部は角状にしたもの、或は若干のアールを設けたものの双方が含まれる。」
を、
「尚、ガイド孔が八角形状のものは、これのみを単独のものとすることができ、その場合にはガイド筒体と固定板は、別々の部材ではなく一体に成型して構成したガイド板とすることができる。」
と訂正する。
リ、訂正事項９
　特許明細書の【００３２】欄の、
「（通常は図１１と図１２に示したように２段であるが）」
を、
「（通常は
図１０と図１１
と訂正する。
ヌ、訂正事項１０
　特許明細書の【００３４】欄の、
「図１０はこの発明に係る複合操作スイッチ」
を、
「図
９
と訂正する。
ル、訂正事項１１
　特許明細書の【００３４】欄の、
「複合スイッチ４３のの操作レバー４３ａを操作すると、」
を、
「複合スイッチ４３
の
と訂正する。
ヲ、訂正事項１２
　特許明細書の【００３９】欄の、
「簡単その位置を変えることができる」
を、
「簡単
に
と訂正する。
ワ、訂正事項１３
　特許明細書の【図面の簡単な説明】の欄の、
「【図６】固定板とガイド筒体を組み合わせの一実施例を示す分解斜視図である。」
を、
「【図６】固定板とガイド筒体
の
カ、訂正事項１４
　特許明細書の【図面の簡単な説明】の欄の、
「【図９】ガイド板の他の実施例を示す平面図である。」を全文削除する。
ヨ、訂正事項１５
　特許明細書の【図面の簡単な説明】の欄の、
「【図１０】、【図１１】、【図１２】」
を、それぞれ、
「【図
９
１０
１１
と訂正する。
タ、訂正事項１６
　特許明細書の【図面の簡単な説明】の欄の【符号の説明】における、
「３５　ガイド孔
　３６　ガイド板」
を削除する。
レ、訂正事項１７
　特許明細書に添付した図面のうち、その【図９】を全て削除するとともに、図面の符号「【図１０】、【図１１】、【図１２】」
を、それぞれ、
「【図
９
１０
１１
と訂正する。
（５４）【発明の名称】
複合操作スイッチ並びにこの複合操作スイッチを取り付けたテレビゲーム機
（５７）【特許請求の範囲】
　【請求項１】　多方向へ揺動及び揺動旋回させられる操作レバーを挿通させて該操作レバーの回りに配置させた複数のマイクロスイッチの方向ヘスイッチ押圧部をガイドするために、固定板或はガイド板に設けられるガイド孔を、八角形状としたことを特徴とする、複合操作スイッチ。
　【請求項２】　多方向へ揺動及び揺動旋回させられる操作レバーを挿通させて該操作レバーの回りに配置させた複数のマイクロスイッチの方向ヘスイッチ押圧部をガイドするために、固定板或はガイド板に設けられるガイド孔を、八角形状とすると共に、この八角形状のガイド孔に軸方回へ傾斜をつけたことを特徴とする、複合操作スイッチ。
　【請求項３】　ガイド孔の部分をガイド筒体として独立させ、このガイド筒体を固定板或はガイド板に対して着脱自在となるように取り付けたことを特徴とする、請求項１又は２のいずれかに記載の、複合操作スイッチ。
　【請求項４】　支持板と、この支持板にその中間部を揺動及び揺動旋回可能に取り付けた操作レバーと、この操作レバーを囲んで一段又は二段に渡って前記支持板に固定された複数のマイクロスイッチと、この複数のマイクロスイッチを前記支持板との間に挟んで該支持板に取り付けられた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状のものと四角形状のもので構成し、互いに交換可能としたことを特徴とする、複合操作スイッチ。
　【請求項５】　支持板と、この支持板にその中間部を揺動及び揺動旋回可能に取り付けた操作レバーと、
接続コネクターを有し
各端子を前記回路基板へ接続させた
　【請求項６】　支持板と、この支持板に揺動可能及び揺動旋回可能に支持された操作レバーと、前記支持板に前記操作レバーを囲んで配置された複数のマイクロスイッチと、前記操作レバーの自由端側を挿通させるガイド孔を一体に設け前記支持板に前記複数のマイクロスイッチを間に挟んで該支持板に取り付けられたガイド板とから構成すると共に、前記ガイド孔を八角形状としたことを特徴とする、複合操作スイッチ。
　【請求項７】　支持板と、この支持板にその中間部を揺動及び揺動旋回可能に取り付けられた操作レバーと、
接続コネクターを有し
　【請求項８】　請求項１乃至７記載の複合操作スイッチを取り付けたことを特徴とする、テレビゲーム機。
【発明の詳細な説明】
　【０００１】
　【産業上の利用分野】
　この発明は、一つの操作レバーで多数のスイッチを開閉することの出来る、複合操作スイッチ並びにこの複合操作スイッチを取り付けたテレビゲーム機に関する。
　【０００２】
　【従来の技術】
　従来、
図１０と図１１
　【０００３】
　さらに、複数のマイクロスイッチは、操作レバーの軸方向へさらに一段複数個が囲設され、第一段目のマイクロスイッチ群を操作レバーの回転操作により開閉させ、第２のマイクロスイッチ群を操作レバーの揺動操作によって開閉するようにしたものも公知であるが、ガイド板を支持板へ回転可能に取り付ける構成は上記したものと同じである。
　【０００４】
　さらに、従来公知の複合操作スイッチは、これをテレビゲーム機の操作盤へ組み込む際、各マイクロスイッチの各端子へ各リード線の一端を接続させ、これらのリード線の他端部を他の端子やコネクターへ一つ一つ接続させていた。
　【０００５】
　【発明が解決すべき課題】
　この従来公知の複合操作スイッチは、テレビゲーム機のゲーム内容が複雑になるにつれ、複数のマイクロスイッチを同時に或は単独で確実かつ自在に開閉できるようにすることが要求された。このことはガイド板を回転させガイド孔の位置を変えることによって対処することが可能になったが、そのためにはいちいち複数の取付ネジを一つ一つ弛めてガイド板を回転させ、また取付ネジで締め付けるという手間を要していた。
　【０００６】
　さらに、四角形状のガイド孔であると、操作レバーを８方向へ倒す際に、該操作レバーの当接部が４方向は四角状の角部へ嵌入して安定するが、後の４方向は四角形状のガイド孔の辺部に当接することにより安定しない上に、操作レバーを倒したままで旋回させる場合に、スムーズな旋回操作が行えないという問題もあった。
　【０００７】
　さらに、従来公知の複合操作スイッチはこれをテレビゲーム機の操作盤へ組み込む際に、各マイクロスイッチの端子ヘリード線の一端部を接続させ、この各リード線の他端部を他の端子やコネクターへ一つ一つ接続させるという手間を要し煩雑であり、組み込みに時間を要するという問題があった。
　【０００８】
　この発明の次の目的は、テレビゲーム機に対する組み付けが容易であり、かつ操作レバーの揺動方向或は揺動旋回を簡単な操作で変えることができる上に、より複雑な操作レバーの操作を安定的かつ素早く円滑に行うことができるように構成した、複合操作スイッチを提供せんとするにある。
　【０００９】
　さらにこの発明の次の目的は、上述したように構成した複合操作スイッチを備えたテレビゲーム機を提供せんとするにある。
　【００１０】
　【課題を解決するための手段】
　上述した目的を達成するためにこの発明は、多方向へ揺動および揺動旋回させられる操作レバーを挿通させて該操作レバーの回りに配置させた複数のマイクロスイッチの方向ヘスイッチ押圧部をガイドするために固定板或はガイド板に設けられるガイド孔を八角形状としたものである。
　【００１１】
　その際にこの発明は、ガイド孔の軸方向へ傾斜をつけたり、或はガイド孔の部分を独立したガイド筒体とし、このガイド筒体を固定板或はガイド板に対して着脱自在となるように構成することができる。
　【００１２】
　次にこの発明は、支持板と、この支持板にその中間部を揺動及び揺動旋回可能に取り付けた操作レバーと、この操作レバーを囲んで一段又は二段に渡って前記支持板に固定された複数のマイクロスイッチと、この複数のマイクロスイッチを前記支持板との間に挟んで該支持板に取り付けられた固定板と、この固定板に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状のものと四角形状のもので構成し、互いに交換可能としたことを特徴とする。
　【００１３】
　この発明はさらに、支持板と、この支持板にその中間部を揺動及び揺動旋回可能に取り付けた操作レバーと、前記支持板に中央部に操作レバーを挿通させて載置させた回路基板と、この回路基板上に前記操作レバーを囲んで配置された複数のマイクロスイッチと、この複数のマイクロスイッチを前記支持板との間に挟んで前記係止部材に係止させた固定板と、この固定仮に着脱可能及び所定範囲において回転可能かつクリック停止可能に取り付けられたところの中央部に前記操作レバーの自由端側を挿通させるガイド孔を有するガイド筒体とで構成すると共に、このガイド筒体をガイド孔の形状が八角形状と四角形状のもので構成し、互いに交換可能としたことを特徴とする。
　【００１４】
　さらにこの発明は、支持板と、この支持板に揺動可能及び揺動旋回可能に支持された操作レバーと、前記支持板に前記操作レバーを囲んで配置された複数のマイクロスイッチと、前記操作レバーの自由端側を挿通させるガイド孔を有し前記支持板に前記複数のマイクロスイッチを間に挟んで該支持板に取り付けられたガイド板とから構成すると共に、前記ガイド孔を八角形状とすることができる。
　【００１５】
　この発明はさらに、支持板と、この支持板にその中間部を揺動及び揺動旋回可能に取り付けられた操作レバーと、前記支持板に中央部に前記操作レバーを挿通させて載置させた回路基板と、この回路基板上に前記操作レバーを囲んで配置され各端子を前記回路基板上へ接続させた複数のマイクロスイッチと、前記操作レバーの自由端側を挿通させるガイド孔を有し前記支持板に前記複数のマイクロスイッチを間に挟んで該支持板に取り付けられたガイド板とから構成すると共に、前記ガイド孔を八角形状とすることができる。
　【００１６】
　そしてこの発明は、上述したごとき各種構成の複合操作スイッチをテレビゲーム機へ取り付けることができるものである。
　【００１７】
　【作用】
　
操作レバーを揺動させた際に、該操作レバー当接部が八角形状のガイド孔の各角部へ嵌入し、８方向の操作を安定的に行うことができる。
　【００１８】
　この発明はまた、ガイド筒体のみをクリック停止するところまで回転させるのみで、マイクロスイッチ群の各押ボタンに対するガイド孔の位置が変化し、操作レバーを介して選択的に各マイクロスイッチを単数或は複数同時に開閉させることができるものである。そして、ガイド筒体のみを交換することにより、さらに多様な操作レバーの操作を安定的に行うことができるものである。
　【００１９】
　さらにこの発明は、各マイクロスイッチの端子を接続させた回路基板を例えばテレビゲーム機の操作盤のコネクターへ接続する際には、回路基板より突設した接続端子をコネクターへ接続させるのみで、操作盤への複合操作スイッチの組込みが完了するものである。
　【００２０】
　【実施例】
　図面はこの発明の一実施例を示し、図１乃至図４において、１１は平面略矩形状を呈した合成樹脂製の支持板であり、左右に取付孔１２ａを有する取付片１２が突設されると共に、平面部にはその四角に取付孔１３が設けられている。この支持板１１には図示してないが実際の使用に際して金属板の取付プレートが取付孔１３を介して固着される。この支持板１１には中央部に支持孔１４が設けられると共に、その下面にこの支持孔１４を囲んで湾曲凹部１５が設けられている。支持板１１の上面には同じく支持孔１４を囲んで受座部１６が設けられている。支持板１１の上面にはさらにその縁部より弾性を附与された４本の係止部材１７が立設されると共に、この各係止部材１７に対向して下部に突起１８ａを有する台部１８が突設されている。この各台部１８同士の間には一対の係止ピン１９，１９が突設されると共に、この各係止ピン１９，１９の間にはさらにスペーサー突起２０がそれぞれ突設されている。尚に１２操作レバーでありこの操作レバー２１は一端部に握り玉２１ａを有し、ロッド部２１ｂの略中央部に固着した湾曲凸部２１ｃを支持板１１に設けた湾曲凹部１５に嵌合させつつ、ロッド部２１ｂを支持孔１４内へ挿通させ、該ロッド部２１ｂの自由端側を支持板１１の上方へ突出させている。
　【００２１】
　この操作レバー２１の支持孔１４より突出した部分にはバネ受部材２２、コイルスプリング２３、及び小径の当接部２４ａと大径のスイッチ押圧部２４ｂを有する筒体２４の各部材が順に嵌着されると共に、バネ受部材２２を湾曲凹部１５に当接させ、筒体２４側にＥリング２５を装着することによって、操作レバー２１が抜け出てくることなく揺動かつ回転可能に、さらに、コイルスプリング２３の弾力により常に自立状態を保つように支持されている。
　【００２２】
　支持板１１の下側には、操作レバー２１を通すための挿通孔１０ａと接続コネクター１０ｂを有する回路基板１０が
取り付けられ
　【００２３】
　固定板２７はとくに図６に示したように、その中央部に一対のガイド溝２８ａを有する取付孔２８が設けられ、とくに図４と図６に示したようにこの取付孔２８の下面には大径穴２８ｂが該取付孔１８と同芯円状に設けられ、さらに各ガイド溝２８ａを挟んで該取付孔２８の上面の回りには各々一対の凹部２９ａ，２９ｂが設けられている。固定板２７の取付孔２８には、ガイド筒体３０が挿通されており、鍔部３０ａを大径穴２８ｂに嵌入させつつ外周より突設した一対の係止部３０ｂをガイド溝２８ａを介して挿通させ、凹部２９ａ，２９ｂの各一つと係合させるようになっている。このガイド筒体３０の鍔部３０ａは、固定板２７に設けた一対の弾性片３１によって下方へ押されることにより、一対の係止部３０ｂを各凹部２９ａ，２９ｂへ押圧させている。このガイド筒体３０は、その鍔部３０ａに当接する弾性片３１の弾力に抗して押圧しつつ回転させると、一対の係止部３０ｂが一方の凹部２９ａから他方の凹部２９ｂと係合し、後述するガイド孔の各角部の固定板２７に対する位置を変えることができるものである。このガイド筒体３０の内部には、とくに図３と図４に示したように、
平面八角形状
　【００２４】
　図８はガイド筒体の他の実施例を示すが、ガイド孔３４が平面略四角形状を呈している点が、先に説明したガイド筒体３０と相違するのみで、後は同じである。即ち、３３ａは鍔部であり、３３ｂは係止部である。このガイド筒体３３と先に説明したガイド筒体３０は、必要に応じて相互に交換することができ、使用目的に応じて自在に対応をすることができる。
　【００２５】
　尚、ガイド孔が八角形状のものは、
これのみを単独のものとすることができ、その場合にはガイド筒体と固定板は、別々の部材ではなく、一体に成型して構成したガイド板とすることができる。
　【００２６】
　したがって、操作レバー２１は上述したように常にコイルスプリング２３の弾力により自立状態にあって、スイッチ押圧部２４ｂはどの各マイクロスイッチ２６の押ボタン２６ａとも接触していないが、握り玉２１ａを手に持って揺動させると、当接部２４ａはガイド孔３２によって８方向へ案内され、その各角部３２ａへ落ち込み、この時にスイッチ押圧部２４ｂで各マイクロスイッチ２６の押ボタン２６ａを二つ同時或は単独で安定的かつ確実にＯＮ、ＯＦＦさせることができることになる。
　【００２７】
　尚、この発明は、複数のマイクロスイッチからなるマイクロスイッチ群を複数段（通常は
図１０と図１１
　【００２８】
　以上は、複数のマイクロスイッチを、回路基板上へ搭載させる構造の複合スイッチについて説明したが、この発明は回路基板を用いずに各マイクロスイッチを支持板へ直接固定させる構造のものにもそのまま適用できるものであり、この場合にも複数のガイド筒体を交換自在にしたり、或は八角形状のガイド孔を設けた固定板を一体に成型したものを用いることができる。
　【００２９】
　さらに、以上の実施例は固定板を支持板へ係止部材で係脱自在に係止させるように構成したものを示したが、固定板を支持板へ従来のようにネジを用いて固定させるようにしたものにも、そのまま適用できる。
　【００３０】
　
図９
複合スイッチ４３の
　【００３１】
　【発明の効果】
　請求項１のように構成すると、操作レバーはその当接部が八角形状のガイド穴の各角部へ落ち込み、安定したスイッチ操作を行うことができるので、誤動作が生じないという利点を有するものである。
　【００３２】
　請求項２のように構成すると、操作レバーの当接部が傾斜したガイド孔の各部や辺部に対して、面接触となるので、操作レバーの揺動操作及び揺動旋回操作をソフトでスムーズなものとすることができるのである。
　【００３３】
　請求項３のように構成すると、ガイド孔の部分を取り替えるだけで容易に他の形状のガイド孔を有する固定板或はガイド板を提供できることになる。
　【００３４】
　請求項４のように構成すると、操作レバーによる多方向のスイッチ切り換えを行うために、いちいち取付ネジを弛めたり締めたり或は固定板を外したりすることをしなくとも、ガイド筒体を手で持って若干持ち上げつつ固定板に対して回転させることによって、
簡単に
　【００３５】
　請求項５のように構成すると、請求項１と同じ作用効果を奏することができた上で、複合操作スイッチを例えばテレビゲーム機の操作盤への組み込む際に、各マイクロスイッチの各端子同士或は各端子とコネクターとの間をいちいちリード線で接続する必要がなくなるので、作業性を大幅に向上させることができるものである。
　【００３６】
　請求項６のように構成すると、請求項３と同じ作用効果を奏することができた上で、複合操作スイッチのテレビゲーム機への組み込みが極めて簡単かつ容易となるという作用効果をも合わせて奏し得る。
　【００３７】
　請求項７のように構成すると、マイクロスイッチ群を複数段設けても、操作盤への組み込みが容易になるものである。
　【００３８】
　請求項８のように構成すると、複合操作スイッチの組み込みが容易となる他、多方向へ操作レバーを操作し、多数のマイクロスイッチを単独で或は複数同時に安定かつ確実にＯＮ、ＯＦＦできるテレビゲーム機を提供できるものである。
【図面の簡単な説明】
　【図１】
　この発明に係る複合操作スイッチの分解斜視図である。
　【図２】
　この発明に係る複合操作スイッチの底面図である。
　【図３】
　この発明に係る複合操作スイッチの正面図である。
　【図４】
　図３のＡ−Ａ線断面図である。
　【図５】
　固定板とガイド筒体の係合状態を説明する断面図である。
　【図６】
　固定板と
ガイド筒体の
　【図７】
　操作レバーとガイド孔との相互関係を説明する説明図である。
　【図８】
　ガイド筒体の他の実施例を示す斜視図である。
　【
図９
この発明に係る複合操作スイッチを用いたテレビゲーム機の斜視図である。
　【
図１０
　従来公知の複合操作スイッチの平面図である。
　【
図１１
　従来公知の複合操作スイッチの正面図である。
　【符号の説明】
　１０　回路基板
　１１　支持板
　２１　操作レバー
　２４　筒体
　２４ａ　当接部
　２４ｂ　スイッチ押圧部
　２６　マイクロスイッチ
　２６ａ　押ボタン
　２７　固定板
　２８ａ　ガイド溝
　２９ａ　凹部
　３０　ガイド筒体
　３２　ガイド孔
　３２ａ　角部
　３２ｂ　辺部
　４０　ディスプレー体
　４１　テレビゲーム機
　４２　操作盤
　４３　複合操作スイッチ
【図面】